(57)【特許請求の範囲】
【請求項１】
光信号発信部と、この光信号発信部から発信された光線の反射光を受光する受光部と、この受光部で受光した光を電気信号に変換する回路と、上記電気信号により表示する光発光体からなる表示部を有する直方体と、ゴルフボールの打撃面をもったゴルフパターよりなり、直方体の一側面には上記光信号発信部として照射用ＬＥＤを配し、またこの照射用ＬＥＤから照射された光線の反射光を受光するためのフォトトランジスタからなる複数個の受光素子を横一列等間隔に設け、かつ直方体の他の面には横一列の等間隔で上記複数個の受光素子と対を成す複数個の表示用ＬＥＤがあり、上記ゴルフパターの打球面は上記直方体の一側面に相対するもので、かかる打球面には上記光信号発信部からの光を反射する反射テープあるいは反射用アダプターを付着させたことを特徴とするゴルフパター練習装置。
【発明の詳細な説明】
【０００１】
【産業上の利用分野】
この発明はゴルフパターの練習時に、パターの横振れ角度等を確認しながら練習を行うことの出来るゴルフパター練習装置に関する。
【０００２】
【従来の技術】
従来のゴルフパター練習装置としては、例えば特開平１−３１０６７８号公報にある様にＬＥＤ表示装置がパター自身に付いているものがある。これはパターの角度振れを判別するのに、練習者自身がパターヘッドの方向及びＬＥＤの発光軌跡を見ながら練習しないとパターの振れ具合の判別がつかなかった。
また、パター自身を物体レールに沿わせて、パターが振れていないようにする練習機は従来からあった（特開昭５８−１１８７７７号公報）が、光学的な反射光を用いて、パターの振れ角度（平行方向の角度及び垂直方向の角度）を練習者が常に確認しながら行うゴルフパター練習装置はなかった。
【０００３】
【発明が解決しようとする問題点】
従来のゴルフパター練習機は上記したように構成されているので、真下を向いて表示を見ながら練習しなければならず、実際のプレーのように、数メートル先にホールがあり、ホールをねらいながらパター練習を行うことが出来なく非常に不便であった。
【０００４】
この装置は、上記の問題点を解決するためになされたもので、第一の目的は、数メートル先のカップを想定しながら、なおかつ、カップの大きさに合わせてパターの振れ角度をなくすことを確認しながら、パター練習を行うことの出来る装置を提供することである。
第二の目的は、パター自身または、パターヘッドの平面部に反射テープを張り付けるだけで、試合用のゴルフパターで常に練習できる装置を提供することである。
【０００５】
第三の目的は、試合用のパターヘッドに反射用アダプターを取り付けることによって、練習時と試合時のパターは同じものを使用することを可能にした装置を提供することである。
また、ゴルフパターの振れ表示をＬＥＤを用いて、目視確認しながら練習を行うことが出来るので、常に、目で確認しながらパターの振り動作が一体であるので、練習を重ねることにより自然に練習者の体に覚え込ますことが可能である。
第四の目的はパターの振れ角度に応じて音を出す事により聴覚を通じても練習を行うことの出来る装置を提供することである。
【０００６】
【問題点を解決する手段】
而して本発明の特徴は、光信号発信部と、この光信号発信部から発信された光線の反射光を受光する受光部と、この受光部で受光した光を電気信号に変換する回路と、上記電気信号により表示する光発光体からなる表示部を有する直方体と、ゴルフボールの打撃面をもったゴルフパターよりなり、直方体の一側面には上記光信号発信部として照射用ＬＥＤを配し、またこの照射用ＬＥＤから照射された光線の反射光を受光するためのフォトトランジスタからなる複数個の受光素子を横一列等間隔に設け、かつ直方体の他の面には横一列の等間隔で上記複数個の受光素子と対を成す複数個の表示用ＬＥＤがあり、上記ゴルフパターの打球面は上記直方体の一側面に相対するもので、かかる打球面には上記光信号発信部からの光を反射する反射テープあるいは反射用アダプターを付着させたことにある。
【０００７】
【作用効果】
以上の構成よりなる本願発明を実施するに当たっては、ゴルフパター練習装置を適宜の場所にセットし、電源を投入して上記光信号発信部の照射用ＬＥＤから照射光を発射させる。
【０００８】
練習者は上記直方体より例えば４０〜５０ｃｍなど適宜の距離に離れて準備し、パターの打球面（パターフェース）を上記照射光と直交するようにセットし、上記パターの打球面に、照射用ＬＥＤの照射光をスポット状に当てた状態でパターを受光素子に向けて操作する。
【０００９】
この結果パターからの反射光を受光した受光素子の信号を、それぞれが演算処理して、例えば反射光を一番強く受けた受光素子と対を成す表示用ＬＥＤが緑色に点灯し、パターの操作が正確であった事を表示するのでゴルフボールがカップに入った事を認識することができるのである。
【００１０】
また、ＬＥＤ表示部の方向に対して、パターからの反射光はパターの振れ角度の２倍となりまた、実際にそのパター角度でゴルフボールを打った場合のボールの進行は、パターからの反射光の１／２となる。このときパターからの反射光と、実際のボールを打った場合のボールの進行する方向とのずれ分は、例えば表示回路および受光回路のゲイン調整によって行ってもよく、この様にしてパターを何回も操作して、表示用ＬＥＤの点灯の色を見ることにより上達具合を知ることができるのである。なお、パターを操作しても表示用ＬＥＤが点灯しないのは当然の事ながら、ボールがカップから外れた事を示している。
【００１１】
この様に、パター練習装置をセットし、照射光に対しパターのクラブフェースを直角に設定した後は、練習者が真下を見ていても光が視界に入るので、頭や目線を動かすこと無くストロークの練習ができるのである。
【００１２】
また、練習者と装置までの距離が短くできるので、パターフェースの角度が変化したときに、フェース角度の変化の倍の角度で表示用ＬＥＤの光る位置が変わるので微妙な動きまで矯正することができるのである。
【００１３】
【実施例】
第一図は、この発明の一実施例を示すゴルフパター練習装置の斜視図で、長さがゴルフカップの穴の大きさとほぼ同じ位の直方体（１）の一側面ほぼ中央に信号発信部として、例えば照射用ＬＥＤ（２）を設けてある。
この照射用ＬＥＤ（２）の上方には、このＬＥＤ（２）から照射された光線の反射光を受光するためのフォトトランジスタ等からなる５つの受光素子３ａ，３ｂ，３ｃ，３ｄ，３ｅが、横一列等間隔に設けてある。
直方体（１）の上面には、横一列などの間隔で上記受光素子３ａ，３ｂ，３ｃ，３ｄ，３ｅと対を成すように表示用ＬＥＤ４ａ，４ｂ，４ｃ，４ｄ，４ｅが設けてある。
【００１４】
表示用ＬＥＤ４ａ，４ｂ，４ｃ，４ｄ，４ｅは、上記受光素子３ａ，３ｂ，３ｃ，３ｄ，３ｅの受光に同期して、夫々点灯するようになっており、例えば、中心のＬＥＤ４ｃを緑色ＬＥＤとし、その両側のＬＥＤ４ｂ，４ｄを橙色ＬＥＤとすると共に、外側のＬＥＤ４ａ，４ｅを赤色ＬＥＤと信号機のような配色にしてある。
直方体（１）の側面で受光素子３ａ，３ｂ，３ｃ，３ｄ，３ｅの上方には、遮光板（５）が側面の長さに応じて設けてある。
【００１５】
なお、図示しないが直方体（１）の内部には、照射用ＬＥＤ、表示用ＬＥＤおよび受光素子を作動させるための電源装置、制御回路や演算回路が配設されており、しかも反射光の一番強い光りを受光した受光素子に対応した表示用ＬＥＤが所定時間点灯するように形成されている。
上記電源装置は、ＡＣ電源と電池電源の双方が選択できる様になっている。また上記表示用ＬＥＤは、点灯のみならず点滅動作するようにしてもよい。
上記信号発信部は、ＬＥＤに限らず半導体レーザを用いてもよく、しかも光発信源は一つに限らず複数個設ける用にしてもよい。
【００１６】
また、受光素子の数も一つ以上で有れば数多く設けてもよく、受光素子の数に対応させて表示用ＬＥＤを設ける事はいうまでもない。
表示用ＬＥＤの色も、どの様な色を組み合わせても良く、要は中心の色に対し、左右に離間していくにしたがって、ＬＥＤの色が変化していく状態が目で確認できればよい。
【００１７】
次に作用を説明する。
ゴルフパター練習装置を、屋内、屋外の好きな場所にセットする。即ち直方体（１）をセットした後、電源を投入して照射用ＬＥＤ（２）から照射光を発射する。練習者は上記直方体（１）より４０〜５０ｃｍ離れて準備し、図示しないパターの打球面（パターフェース）を上記照射光と直交するようにセットする。
上記パターの打球面に照射用ＬＥＤ（２）の照射光をスポット状に当てた状態でパターを受光素子に向けて操作する。
【００１８】
パターからの反射光を受光した受光素子３ａ，３ｂ，３ｃ，３ｄ，３ｅからの信号をそれぞれが演算処理して、反射光を一番強く受けた受光素子３ｃと対を成す表示用ＬＥＤ４ｃが緑色に点灯し、パターの操作が正確であった事を表示するのでゴルフボールがカップに入った事を認識することができる。
ＬＥＤ表示部の方向に対して、パターからの反射光はパターの振れ角度の２倍となりまた、実際にそのパター角度でゴルフボールを打った場合のボールの進行は、パターからの反射光の１／２となる。
【００１９】
従ってパターからの反射光と実際のボールを打った場合のボールの進行する方向とのずれ分は、表示回路および受光回路のゲイン調整によって行う。
この様にしてパターを何回も操作して、表示用ＬＥＤの点灯の色を見ることにより上達具合を知ることができる。パターを操作しても表示用ＬＥＤが点灯しないのは当然の事ながら、ボールがカップから外れた事を示している。
【００２０】
上記パターの素材としては、ステンレス系、軟鉄系およびジンクレセン系などが有るが、実際に使用しているパターの打球面に反射率のよい反射テープを添着しても良く、また反射用アダプターを取り付けて練習するようにしても良い。この様に実際に使用しているパターで練習することにより、プレーにおけるパターの違和感が無くなり、スコアーの向上に繋がる。
【００２１】
この様に、パター練習装置をセットし、照射光に対しパターのクラブフェースを直角に設定した後は、練習者が真下を見ていても光が視界に入るので、頭や目線を動かすこと無くストロークの練習ができる。
また、練習者と装置までの距離が短いので、パターフェースの角度が変化したときに、フェース角度の変化の倍の角度で表示用ＬＥＤの光る位置が変わるので微妙な動きまで矯正することができる。
【００２２】
第２図は、この発明の他の実施例を示すもので、直方体の形状を、ゴルフカップの半分、即ち半円筒体１ａ状にしたもので、半円上面には円弧に沿って７つの表示用ＬＥＤ（４）を配設し、かつ受光素子（３）と照射用ＬＥＤ（２）は、円筒体を半分に切断した平面に配設してあり、この平面はゴルフカップの穴径とほぼ同じ長さを有している。
【００２３】
なお、受光素子と照射用ＬＥＤを設ける平面は、ゴルフカップの大きさに拘る事なく、必要に応じて大きくしても良く、要は照射用ＬＥＤから出た光の反射光が、ゴルフカップの穴径内に設けられた受光素子で受光されそれを照射用ＬＥＤで表示されたものを目で確認できればよい。
【００２４】
第３図も、この発明の他の実施例を示すもので、表示部としてＬＥＤに変えて音が出るようにしたものである。例えば１３個の受光素子（３）を光検出・演算回路等の制御回路（Ｅ）を介して、１３個の表示用ＬＥＤ（４）を接続すると共に、制御回路（Ｅ）からメロディ発生用の発生回路（Ｍ）を介してスピーカ（Ｓ）を接続してある。
なお、上記制御回路（Ｅ）内には、表示用ＬＥＤとスピーカ（Ｓ）とを選択的に切り替える切替え回路やＬＥＤとスピーカが同時に使用できる選択回路が設けられている。
【００２５】
この様に配設する事により、例えば中心の受光素子とその両側の素子のいずれか一つに一番強い反射光が入った場合、受光素子に対応した一つの表示用ＬＥＤを緑色に点灯する。
そして反射光がややずれて、中心から左右２つ目の受光素子のいずれか一方に一番強い光が入ると橙色にＬＥＤが点灯し、ボールがややずれた事を表示するが、ここまでのずれの場合はカップインすることが予測できる。
【００２６】
ここまでの状態を音で表示するには、切替えスイッチ等で音表示にしておくと、例えば中心に反射した場合はハ長調の「ド」の音が、右側に少しずれた場合は「レ」の音が、更に右側にずれた場合は「ミ」の音が鳴るようにし、逆に左側に少しずれた場合は「シ」の音が、更に右側にずれた場合は「ラ」の音が鳴るようにしてあるが、いずれにしろカップインの状態であり、この状態をハ長調の音階で表示している。
【００２７】
しかしながら、反射光が更に右側にずれてカップから外れた様な場合は、一オクターブ上の音で、例えば「ファ・ソ・ラ・シ」というようにずれるに従って順次音が変わる様にしたもので、逆に左側にずれてカップから外れた様な場合は、一オクターブ下の音で、例えば「ソ・ファ・ミ・レ」というようにパターからの反射光がカップの穴径より外れた位置の受光素子に入った場合は、夫々オクターブの異なる音が出るようにしてある。
【００２８】
この様に、カップ中心部にパターフェースの角度が直角に向いた時の表示音に比較して、左右に角度が変化した場合に音質、音量、音域（高音、低音）などが極端に変化するので、目を閉じていても、練習装置を見ないでパターフェースの向きを確認することが出来る。
これは、目を閉じることにより、自分のからだの動きに集中することが出来、体の動きを短時間で記憶することを可能にした物である。
なお、音の表示は音階に限らず、音の強弱やメロディ・音声等種々変形してもよく、また、音とＬＥＤが同時に表示される様にしてもよい。なおこの場合は同じ音になるように音の発生を行う。
【００２９】
よってこの発明によれば、実際のプレーと同じ状況で、パターの練習ができ、カップに入ったか否かを目によるＬＥＤの点灯状況や発音により耳でも確認することができるので、ゴルフの基本であるところの体に動作を記憶させるためには、常に一定の動きを繰り返すことが最も重要であり、一定の動きが少しでもブレを生じると動作を記憶しにくいが、本案のように音の変化や光の変化により、常に一定の動作を繰り返せることができ、体に動作を記憶させる条件に好適でしかも携帯に便利なゴルフパター練習装置を提供できたのである。
【図面の簡単な説明】
【図１】この発明の一実施例を示す斜視図
【図２】  この発明の他の実施例を示す斜視図
【図３】  この発明の他の実施例を示す回路説明図である。
【符合の説明】
Ｅ．制御回路
Ｍ．発生回路
Ｓ．スピーカ
１．直方体
２．照射用ＬＥＤ
３．受光素子
４．表示用ＬＥＤ
【図１】
0003766885.tif 000002
【図２】
0003766885.tif 000003
【図３】
0003766885.tif 000004